【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】
各放送番組の放送予定を示す電子番組表に基づいて、所望の放送番組を選択するための放送番組選択手段と、
所望のスケジュールを入力するためのスケジュール入力手段と、
上記所望の放送番組の放送時間帯及び上記スケジュールの時間帯の一部或いは全部が重なった場合に送信される、該所望の放送番組の録画予約を促すメッセージを受信する受信手段と、
上記放送番組選択手段で選択された所望の放送番組を示す情報、及び上記スケジュール入力手段で入力されたスケジュールを示す情報を送信すると共に、上記録画予約を促すメッセージに対応して上記所望の放送番組の録画予約が指定された際に、該所望の放送番組の録画予約を行うための録画予約設定情報を送信する送信手段と
を備えた携帯端末装置と、
上記携帯端末装置の上記送信手段を介して送信された上記所望の放送番組の放送時間帯及び上記スケジュールの時間帯の一部或いは全部が重なった場合に、該所望の放送番組の録画予約を促すメッセージを上記携帯端末装置に送信するメッセージ送信手段と、
上記携帯端末装置から送信される録画予約設定情報を、該録画予約設定情報で示されるユーザの録画機器に対して送信することで、上記所望の放送番組の録画予約設定を行う録画予約設定手段と
を備えたサーバ装置と
を有する情報処理システム。
【請求項２】
請求項１に記載の情報処理システムであって、
上記サーバ装置のメッセージ送信手段は、上記電子番組表に基づいて上記所望の放送番組の放送時間の変更を監視し、放送時間の変更を検出した際に、上記所望の放送番組の放送時間の変更を示すメッセージを上記携帯端末装置に送信し、
上記サーバ装置の録画予約設定手段は、上記放送時間の変更を示すメッセージに対応して、該変更された放送時間に対応する録画予約設定情報が上記携帯端末装置から送信された際に、該変更された放送時間に対応する録画予約設定を上記ユーザの録画機器に対して行うこと
を特徴とする情報処理システム。
【請求項３】
請求項１又は請求項２に記載の情報処理システムであって、
上記サーバ装置から上記携帯端末装置に送信されるメッセージには、録画予約設定時に使用するアプリケーションプログラムのパラメータが付加されており、
上記携帯端末装置は、
上記受信手段で受信されたメッセージに付加されている上記パラメータに基づいて、上記録画予約設定時に使用するアプリケーションプログラムの起動の是非を問うメッセージを表示手段に表示制御すると共に、このメッセージに対応して操作手段を介して上記アプリケーションプログラムの起動が指定された際に、該アプリケーションプログラムを起動制御する制御手段を有すること
を特徴とする情報処理システム。
【請求項４】
請求項３に記載の情報処理システムであって、
上記携帯端末装置の制御手段は、
上記アプリケーションプログラムを起動制御した際に、上記受信手段で受信されたメッセージに基づいて、上記変更された放送時間に対応する録画予約設定情報を形成すると共に、この録画予約設定情報の送信の是非を問うメッセージを上記表示手段に表示制御し、上記操作手段を介して上記変更された放送時間に対応する録画予約設定情報の送信が指定された際に、該録画予約設定情報を上記送信手段を介して上記サーバ装置に送信制御すること
を特徴とする情報処理システム。
【請求項５】
所望の放送番組の録画予約設定情報をサーバ装置を介して所望の録画機器に送信することで、上記録画機器に対して上記所望の放送番組の録画予約設定を行う携帯端末装置であって、
各放送番組の放送予定を示す電子番組表に基づいて、所望の放送番組を選択するための放送番組選択手段と、
所望のスケジュールを入力するためのスケジュール入力手段と、
上記所望の放送番組の放送時間帯及び上記スケジュールの時間帯の一部或いは全部が重なった場合に上記サーバ装置から送信される、該所望の放送番組の録画予約を促すメッセージを受信する受信手段と、
上記放送番組選択手段で選択された所望の放送番組を示す情報、及び上記スケジュール入力手段で入力されたスケジュールを示す情報を上記サーバ装置に送信すると共に、上記録画予約を促すメッセージに対応して上記所望の放送番組の録画予約が指定された際に、該所望の放送番組の録画予約を行うための録画予約設定情報を上記サーバ装置に送信する送信手段と
を有する携帯端末装置。
【請求項６】
請求項５に記載の携帯端末装置であって、
上記受信手段は、上記サーバ装置が上記電子番組表に基づいて上記所望の放送番組の放送時間の変更を検出することで該サーバ装置から送信される、上記所望の放送番組の放送時間の変更を示すメッセージを受信し、
上記送信手段は、操作手段を介して送信が指定された際に、上記放送時間の変更に対応する録画予約設定情報を上記サーバ装置に送信すること
を特徴とする携帯端末装置。
【請求項７】
請求項５又は請求項６に記載の携帯端末装置であって、
上記サーバ装置から送信されるメッセージには、録画予約設定時に使用するアプリケーションプログラムのパラメータが付加されており、
上記受信手段で受信されたメッセージに付加されている上記パラメータに基づいて、上記録画予約設定時に使用するアプリケーションプログラムの起動の是非を問うメッセージを表示手段に表示制御すると共に、このメッセージに対応して上記操作手段を介して起動が指定された際に、上記アプリケーションプログラムを起動制御する制御手段を有すること
を特徴とする携帯端末装置。
【請求項８】
請求項７に記載の携帯端末装置であって、
上記制御手段は、
上記アプリケーションプログラムを起動制御した際に、上記受信手段で受信されたメッセージに基づいて、上記変更された放送時間に対応する録画予約設定情報を形成すると共に、この録画予約設定情報の送信の是非を問うメッセージを上記表示手段に表示制御し、上記操作手段を介して上記変更された放送時間に対応する録画予約設定情報の送信が指定された際に、該録画予約設定情報を上記送信手段を介して上記サーバ装置に送信制御すること
を特徴とする携帯端末装置。
【請求項９】
メッセージの送信元となる送信元ユーザが該メッセージの送信を行う各送信先ユーザの携帯端末装置で電子番組表に基づく所望の放送番組の選択操作がなされることで送信される、該各送信先ユーザの所望の放送番組を示す選択放送番組情報を記憶するデータベースと、
上記データベースに記憶されている上記各送信先ユーザの選択放送番組情報に基づいて、該各送信先ユーザが選択した放送番組のうち、選択頻度の高い一つ或いは複数の放送番組を検出する嗜好検出手段と、
上記嗜好検出手段で検出された上記選択頻度の高い一つ或いは複数の放送番組を示すメッセージを上記送信元ユーザの携帯端末装置に送信するメッセージ送信手段と
を有するサーバ装置。
【手続補正２】
【補正対象書類名】明細書
【補正対象項目名】００１４
【補正方法】変更
【補正の内容】
【００１４】
【課題を解決するための手段】
本発明は、ユーザの携帯端末装置から送信された所望の放送番組の放送時間帯及びスケジュールの時間帯の一部或いは全部が重なった場合に、該所望の放送番組の録画予約を促すメッセージを上記ユーザの携帯端末装置に送信する。そして、このメッセージに対応して、上記ユーザの携帯端末装置から上記放送番組の録画予約を指定する録画予約設定情報が送信された際に、この録画予約設定情報に基づいて、ユーザの録画機器に対して上記所望の放送番組の録画予約設定を行う。これにより、所望の放送番組の放送時間帯とスケジュールの時間帯とが重なることで、ユーザが所望の放送番組を見逃す不都合を防止することができる。
【手続補正３】
【補正対象書類名】明細書
【補正対象項目名】００１５
【補正方法】変更
【補正の内容】
【００１５】
また、本発明は、メッセージの送信元となる送信元ユーザが該メッセージの送信を行う各送信先ユーザのアドレスと共に、上記各送信先ユーザの携帯端末装置において、電子番組表に基づく所望の放送番組の選択操作がなされることで送信される、該各送信先ユーザの所望の放送番組を示す選択放送番組情報をデータベースに記憶しておく。そして、このデータベースに記憶されている各送信先ユーザの選択放送番組情報に基づいて、該各送信先ユーザが選択した放送番組のうち、選択頻度の高い一つ或いは複数の放送番組を検出し、この検出した上記選択頻度の高い一つ或いは複数の放送番組を示すメッセージを送信元ユーザの携帯端末装置に送信する。これにより、各送信先ユーザのうち、多くの送信先ユーザが選択している放送番組を送信元ユーザに紹介することができる。
【手続補正４】
【補正対象書類名】明細書
【補正対象項目名】０７３６
【補正方法】変更
【補正の内容】
【０７３６】
【発明の効果】
本発明は、ユーザの所望の放送番組の放送時間帯とスケジュールの時間帯とが重なることで、ユーザが所望の放送番組を見逃す不都合を防止することができる。
【手続補正５】
【補正対象書類名】明細書
【補正対象項目名】０７３７
【補正方法】変更
【補正の内容】
【０７３７】
本発明は、各送信先ユーザのうち、多くの送信先ユーザが選択している放送番組を送信元ユーザに紹介することができる。